(57)【要約】【課題】撮影装置の位置や光源の位置をそれぞれの色票を測定するごとに合わせる労力を必要とせず、同じ条件で正確な色票の撮影を行うことができ、色票の数が増えても大きな面積を必要としない色票提示装置を提供する。【解決手段】色票提示装置２は、撮影装置６の色再現性を検出するための複数の色票１００を同一の提示位置Ｐで入れ替えて提示する。フレーム保持機構２１は、複数の色票１００のそれぞれを個々に支持するフレーム１０１を矢印１０２方向に重ねて保持すると共に当該方向において撮影装置６に対向する最前位置を色票１００の提示位置Ｐとする。フレーム移動機構２２は、フレーム保持機構２１に重ねて保持するフレーム１０１を提示位置Ｐに順次移動させる。【選択図】図１
2017072457.tif 000002
【特許請求の範囲】
【請求項１】
撮影装置の色再現性を検出するための複数の色票を同一の提示位置で入れ替えて提示する色票提示装置であって、
前記複数の色票のそれぞれを個々に支持するフレームを一方向に重ねて保持すると共に前記一方向において前記撮影装置に対向する最前位置を前記色票の提示位置とするフレーム保持機構と、
前記フレーム保持機構に重ねて保持するフレームを前記提示位置に順次移動させるフレーム移動機構と、
前記フレーム保持機構で保持する色票を移動させるように前記フレーム移動機構に信号を送る移動機構駆動装置と、を備えることを特徴とする色票提示装置。
【請求項２】
前記フレーム保持機構は、前記フレームを懸架して直線的に案内するガイドバーと、前記フレームを懸架する高さで前記ガイドバーを支持する支持脚と、を備えることを特徴とする請求項１に記載の色票提示装置。
【請求項３】
前記フレーム移動機構は、前記フレームに当接して前記提示位置に向かって押し出すフレーム押出部と、前記フレーム押出部を前記提示位置に向けて前記フレーム１つ分を移動させるように駆動する駆動部と、を備えていることを特徴とする請求項１または２に記載の色票提示装置。
【請求項４】
前記色票を支持するフレームは、前記ガイドバーの形状の少なくとも一部の形状に合わせて係合する係合部を有することを特徴とする請求項２に記載の色票提示装置。
【請求項５】
前記ガイドバーに懸架されて前記提示位置にある色票が前記フレーム移動機構の作動により押され前記ガイドバーから外れて落下する位置に配置する色票収納部を備えることを特徴とする請求項２に記載の色票提示装置。
【請求項６】
前記提示位置の色票に対面する位置に開口する窓部を有すると共に、前記撮影装置で撮影する画角の範囲において前記窓部の周囲となる位置で前記フレーム保持機構を隠蔽する隠蔽部を有する隠蔽スクリーンを、前記フレーム保持機構及び前記撮影装置の間に設置することを特徴とする請求項１から請求項３のいずれか一項に記載の色票提示装置。
【請求項７】
複数の色票を同一の提示位置で入れ替えて提示し、前記提示位置にある色票を撮影装置で撮影し、前記撮影装置の色再現性を検査する色再現性検査システムであって、
前記複数の色票のそれぞれを個々に支持するフレームを一方向に重ねて保持すると共に前記一方向において前記撮影装置に対向する最前位置を前記色票の提示位置とするフレーム保持機構と、
前記フレーム保持機構に重ねて保持するフレームを前記提示位置に順次移動させるフレーム移動機構と、
前記フレーム保持機構で保持する色票を移動させるように前記フレーム移動機構に信号を送る移動機構駆動装置と、
前記撮影装置で撮影した前記色票の撮影色情報を記憶すると共に、前記撮影装置に撮影させる信号を送る収録装置と、
前記提示位置にある前記色票の分光放射を計測する分光放射輝度計と、
前記分光放射輝度計、前記収録装置および前記移動機構駆動装置の動作を制御する測定コントローラと、を備え、
前記測定コントローラは、前記分光放射輝度計から計測した計測色情報を取得したときに前記提示位置の次の色票を当該提示位置に移動させるように前記移動機構駆動装置に信号を送ると共に、前記撮影装置による撮影を行う信号を前記収録装置に送る信号発生手段と、前記色票を計測した前記計測色情報を記憶する記憶手段と、を有することを特徴とする色再現性検査システム。
【発明の詳細な説明】
【技術分野】
【０００１】
本発明は、撮影装置の色再現性を評価するために使用される色票を提示する色票提示装置及び色再現性検査システムに関する。
【背景技術】
【０００２】
カメラ等の撮影装置においては、撮影された色（ＲＧＢ値）と実物の色（分光放射輝度計からの三刺激値ＸＹＺ）が一致しているか否かを評価する色再現評価が重要となる。従来の撮影装置における色再現評価では２４色の色票を同一平面に並べて構成した反射型のカラーチャート（本明細書では、以下「マクベスチャート」と称する）が、一般的に用いられている。色再現を評価するには、このマクベスチャートに照明を当て、撮影装置からはＲＧＢ値を取得し、同時に分光放射輝度計からは三刺激値ＸＹＺを取得し、その両者の値から色差を計算することで行われる。
【０００３】
前記マクベスチャートを用いて撮影装置のＲＧＢ値を測定するときには、複数の色票のそれぞれでの照度が均一になるように撮影装置の位置や照明の位置を調整する必要があった。また、同時に分光放射輝度計で色票からの三刺激値ＸＹＺを測定する必要があるため、分光放射輝度計の受光部をマクベスチャート上に配置されたそれぞれの色票に向けるように動かしつつ測定を行う必要があった。
さらに、特許文献１に記載される方法および装置を用いて、カメラおよび照明をマクベスチャートの上部で平面的に動かしてそれぞれの色票を測定する方法や、ＸＹステージによってマクベスチャートを平面的に動かしてそれぞれの色票を同一場所に提示する方法も提案されている。
【先行技術文献】
【特許文献】
【０００４】
【特許文献１】特開２００２−１３１１３４公報
【発明の概要】
【発明が解決しようとする課題】
【０００５】
まず、従来法で撮影装置からＲＧＢ値を取得する場合、二次元的に配置された色票全てにおいて撮影条件を同じくする必要があるため、色票上での照明の照度が均一になるように照明を調整する必要がある。これは現実には非常に難しく、照明の形状、大きさによっては全く不可能となる場合も生じる。
【０００６】
また、撮影装置の位置や光源の位置を調整して、照明の照度を合わせたとしても正確な測定が行えたとはいえない。撮像素子またはレンズによる撮影装置自体の持つシェーディングの影響や、あるいは高輝度部分から発生するストリーキングなどの影響によって撮影装置の撮像面全体において均一なカメラ特性が得られないという不具合もあるためである。
そのため、これらの影響により撮影装置の正確なＲＧＢ値の測定ができないという問題点があった。
【０００７】
さらに、撮影装置の撮影と同時に分光放射輝度計で三刺激値ＸＹＺを測定しようとすると分光放射輝度計の受光部をそれぞれの色票に向けるように動かす必要があり、煩雑な作業を伴うという問題点もあった。
また、従来、ＸＹステージによってマクベスチャートを平面的に動かしてそれぞれの色票を同一場所に提示する方法も存在するが、２次元的に同一平面上に多数の色票が配置されたマクベスチャートを用いる場合、平面的に動かすために作業に必要となる面積が大きくなり、装置が大きくなるという問題点もあった。
【０００８】
本発明は、このような問題に鑑み創案されたものであり、撮影装置の位置や光源の位置をそれぞれの色票を測定するごとに合わせる労力を必要とせず、同じ条件で正確な色票の撮影を行うことができ、色票の数が増えても大きな面積を必要としない色票提示装置及び色再現性検査システムを提供することを課題とする。
【課題を解決するための手段】
【０００９】
本発明に係る色票提示装置は、撮影装置の色再現性を検出するための複数の色票を同一の提示位置で入れ替えて提示する色票提示装置であって、前記色票を支持するフレームを保持するフレーム保持機構と、前記フレーム保持機構のフレームを移動させるフレーム移動機構と、前記フレーム保持機構に信号を送る移動機構駆動装置と、を備える構成とする。
【００１０】
本発明に係る色再現性検査システムは、複数の色票を同一の提示位置で入れ替えて提示し、前記提示位置にある色票を撮影装置で撮影し、前記撮影装置の色再現性を検査する色再現性検査システムであって、色票を支持するフレームを保持するフレーム保持機構と、前記フレーム保持機構のフレームを移動させるフレーム移動機構と、前記フレーム保持機構に信号を送る移動機構駆動装置と、収録装置と、分光放射輝度計と、前記分光放射輝度計、前記収録装置および前記移動機構駆動装置の動作を制御する測定コントローラと、を備える構成とする。
【００１１】
本発明に係る色票提示装置および色再現性検査システムによれば、複数の色票を同一の提示位置で入れ替えて提示することができる。すなわち、フレーム保持機構により、複数の色票のそれぞれを個々に支持するフレームを一方向に重ねて保持すると共に当該一方向において撮影装置に対向する最前位置を前記色票の提示位置とし、フレーム移動機構により、フレーム保持機構に重ねて保持するフレームを提示位置に順次移動させることができる。
【００１２】
そのため、本発明に係る色票提示装置および色再現性検査システムでは、複数の色票を同一の提示位置で順次入れ替えて提示して、それぞれ分光放射輝度計による計測と撮影装置による撮影とを行うことができるので、一度位置決めした分光放射輝度計、撮影装置、照明の位置を調整し直さずとも、全ての色票について分光放射輝度計、撮影装置、及び照明と、提示位置の色票との位置関係を一定に維持することができる。
したがって、本発明によれば、撮影装置の正確なＲＧＢ値の測定が可能となり、また、分光放射輝度計での三刺激値ＸＹＺの測定のために煩雑な作業を必要としない。
【発明の効果】
【００１３】
本発明によれば、撮影装置の位置や光源の位置をそれぞれの色票を測定するごとに合わせる労力を必要とせず、同じ条件で正確な色票の撮影を行うことができ、色票の数が増えても大きな面積を必要としない色票提示装置及び色再現性検査システムを提供することができる。
【図面の簡単な説明】
【００１４】
【図１】本発明の一実施形態である色再現性検査システムの全体構成を示す説明図である。
【図２】本発明の一実施形態である色再現性検査システムのフレーム保持機構の正面図である。
【図３】本発明の一実施形態である色再現性検査システムにおけるフレーム保持機構の提示位置周辺部分を斜め上からみた斜視図である。
【図４】図４（ａ）〜図４（ｃ）は、本発明の一実施形態である色再現性検査システムにおけるフレーム保持機構にセットされた複数枚の色票に対して分光放射輝度計による計測と撮影装置による撮影が順次行われて色票の枚数が減っていく様子を時間順に示した説明図である。
【発明を実施するための形態】
【００１５】
以下、本発明の実施の形態について図面を参照しつつ説明する。
［各部の構成について］
図１に示すように、本実施形態にかかる色再現性検査システム１は、色票提示装置２と、収録装置３と、分光放射輝度計４と、測定コントローラ５とを備えている。撮影装置６は、色再現性検査システム１が適用されるカメラであり、動画像を撮影することができる。また、撮影装置６による撮影等のために照明１２が用意されている。
以下、色再現性検査システム１の各部の構成について順次説明する。
【００１６】
（色票提示装置について）
色票提示装置２は、撮影装置６の色再現性を検出するための複数の色票１００を同一の提示位置Ｐで入れ替えて提示する装置である。
色票提示装置２は、フレーム保持機構２１と、フレーム移動機構２２と、移動機構駆動装置２３とを備えている。
【００１７】
まず、図２、図３に示すように、本実施形態で使用する各色票１００は、いずれも矩形状で、各色票１００の周囲にはフレーム１０１が取り付けられている。そして、フレーム１０１は、矩形環状に形成され、上部の左右両側からは当該フレーム１０１を支持する一対のフレーム支持部１０１ａが張り出している。
図１〜図３に示すように、フレーム保持機構２１は、フレーム１０１を保持して、複数枚の色票１００のそれぞれを個々に支持している各フレーム１０１を一方向（図１で矢印１０２方向（水平方向））に重ねて保持すると共に、当該一方向において撮影装置６に対向する最前位置を色票の提示位置Ｐとしている。
【００１８】
すなわち、フレーム保持機構２１は、台座３１と、台座３１を床１１１の上方で支持する複数本の脚部３２とを備えている。台座３１の上には複数本（本例では台座３１上の４隅の４本）の支持脚３３が直立していて、この支持脚３３により、２本のガイドバー３４が矢印１０２方向を長手方向として所定間隔をあけて各々支持されている。
【００１９】
図２、図３に示すように、各フレーム１０１のフレーム支持部１０１ａは、ガイドバー３４の形状の少なくとも一部の形状に合わせて係り合う係合部となる凹部１０１ｂを有する。そして、ガイドバー３４は、各フレーム１０１を懸架して直線的に案内し、支持脚３３は、各フレーム１０１を懸架する高さでガイドバー３４を支持する。
【００２０】
具体的には、各ガイドバー３４の上にはそれぞれ矢印１０２方向を長手方向としてレール３５が設けられている。そして、各フレーム１０１の一対のフレーム支持部１０１ａには、その下部に前記のとおりそれぞれ凹部１０１ｂが形成されている。そして、この凹部１０１ｂがレール３５に係り合って、各フレーム１０１、ひいては各色票１００が摺動自在に当該レール３５上に支持されている。
【００２１】
図１に示すように、フレーム移動機構２２は、フレーム保持機構２１において前記のように重ねて保持されている各フレーム１０１を前記提示位置Ｐに順次移動させる装置である。フレーム移動機構２２は、フレーム押出部４１と、駆動部となるリニアアクチュエータ４２とを備えている。
フレーム押出部４１は、フレーム１０１に当接してフレーム１０１を提示位置Ｐに向かって押し出す。リニアアクチュエータ４２は、フレーム押出部４１を提示位置Ｐに向けてフレーム１０１を１つ分だけ移動させるように（フレーム１０１の１枚分の厚みだけフレーム押出部４１が移動するように）駆動する。
【００２２】
具体的には、リニアアクチュエータ４２は、台座３１上において、重なり合った複数枚のフレーム１０１の背部（図１において重なり合ったフレーム１０１の右側）に設けられている。リニアアクチュエータ４２は、その駆動軸４２ａの先端部を、当該重なり合った複数枚のフレーム１０１の背部に向かって突き出すように配置されている。フレーム押出部４１は、駆動軸４２ａの先端部に設けられ、リニアアクチュエータ４２が駆動軸４２ａを突き出すことにより、重なり合った複数枚のフレーム１０１の背部を図１において左方向（白抜き矢印１０３の方向）に押し出す。これにより、フレーム押出部４１を提示位置Ｐに向けてフレーム１０１を１つ分だけ図１の左方向に移動させる。
【００２３】
移動機構駆動装置２３（図１）は、測定コントローラ５の制御に基づいてリニアアクチュエータ４２を駆動する駆動装置である。
また、色票提示装置２は、色票収納部２４と、隠蔽スクリーン２５と（図２、図３）、色票案内部材２６とを備えている。
図１に示すように、色票収納部２４は、ガイドバー３４のレール３５に懸架されて提示位置Ｐにある色票１００が、フレーム移動機構２２の作動により押されてガイドバー３４から外れて落下する位置に配置された色票１００の収納容器である。
【００２４】
図２、図３に示すように、隠蔽スクリーン２５は、例えば矩形状の板状部材であり、提示位置Ｐの色票１００に対面する位置に開口する窓部５１を有する。また、隠蔽スクリーン２５は、撮影装置６で撮影する画角の範囲において窓部５１の周囲となる位置でフレーム保持機構２１を隠蔽する隠蔽部５２を有する。隠蔽スクリーン２５は、フレーム保持機構２１と撮影装置６との間で提示位置Ｐよりも前（図１において左側）で提示位置Ｐから所定の間隔を空けて設置されている。この所定間隔は、フレーム押出部４１によって提示位置Ｐよりも前（図１において左側）に押し出された色票１００（フレーム１０１）が、ガイドバー３４のレール３５の端部を外れて落下することができる程度の間隔である。
【００２５】
図１に示すように、色票案内部材２６は、おおよそ前記の提示位置Ｐ及び所定間隔の下方に設けられている部材で、フレーム保持機構２１と色票収納部２４とを連結し、フレーム保持機構２１から色票収納部２４に向かって図１の左下に向かって下り傾斜している傾斜面２６ａを備えた部材である。傾斜面２６ａは、ガイドバー３４のレール３５の端部を外れて落下する色票１００（フレーム１０１）が矢印１０４方向に滑り落ちて色票収納部２４に納まるための案内部材である。
【００２６】
（収録装置について）
収録装置３は、撮影装置６が撮影する各色票１００の画像の画像データを収録する装置である。図１に示すように、収録装置３は、撮影色情報取得部６１と、記憶装置６２と、撮影指示部６３と、撮影指示取得部６４とを備えている。
撮影色情報取得部６１は、撮影装置６が撮影する各色票１００の画像の画像データを撮影装置６から取得する。
記憶装置６２は、撮影色情報取得部６１が撮影装置６から取得した画像データを記憶する。
【００２７】
撮影指示部６３は、撮影装置６に対して色票１００の撮影を指示する。
撮影指示取得部６４は、測定コントローラ５から撮影指示を受信し、撮影指示部６３に当該撮影指示を伝達する。
なお、撮影色情報取得部６１、撮影指示部６３、及び撮影指示取得部６４は、マイクロコンピュータ等により実現することができる。
【００２８】
（分光放射輝度計について）
図１に示すように、分光放射輝度計４は、提示位置Ｐにある色票１００の分光放射を計測する装置である。
【００２９】
（測定コントローラについて）
測定コントローラ５は、撮影装置６、分光放射輝度計４、及びフレーム移動機構２２を制御するための装置である。図１に示すように、測定コントローラ５は、計測指示部７１と、計測色情報取得部７２と、記憶装置７３と、撮影指示部７４と、移動制御部７５とを備えている。
計測指示部７１は、分光放射輝度計４に提示位置Ｐにある色票１００の分光放射を計測するように指示する。
【００３０】
計測色情報取得部７２は、分光放射輝度計４が計測したデータ（計測色情報）を取得し、記憶装置７３に記憶する。また、計測色情報取得部７２は、計測色情報を取得したことを移動制御部７５に報知する。
記憶装置７３は、分光放射輝度計４が計測した計測色情報を記憶する記憶手段となる。
撮影指示部７４は、撮影装置６に提示位置Ｐにある色票１００の撮影を指示する。
移動制御部７５は、計測色情報取得部７２が分光放射輝度計４で計測した計測色情報を取得したときに、提示位置Ｐの次の色票１００を当該提示位置Ｐに移動させるように移動機構駆動装置２３に信号を送ると共に、撮影装置６による撮影を行う信号を収録装置３の撮影指示取得部６４に送る信号発生手段となる。
【００３１】
より具体的には、移動制御部７５は、計測指示部７１、撮影指示部７４を介して、撮影装置６による撮影、及び分光放射輝度計４による分光放射の計測を制御する。また、移動制御部７５は、計測色情報取得部７２から色票１００の分光放射の計測を実行した旨の信号を取得すると、移動機構駆動装置２３を介してリニアアクチュエータ４２を制御し、フレーム押出部４１を図１において左側に色票１００のフレーム１０１の１枚分だけ押し出す。これにより、提示位置Ｐに位置している色票１００は色票収納部２４に落下し、当該色票１００の図１における右側に位置していた別の色票１００が提示位置Ｐに移動する。
計測指示部７１、計測色情報取得部７２、記憶装置７３、撮影指示部７４、及び移動制御部７５は、マイクロコンピュータ等により実現することができる。
【００３２】
［各部の動作について］
次に、色再現性検査システム１の各部の動作について説明する。
まず、撮影装置６の最適化を行うためには次のような処理をする。すなわち、各色票１００を対象に分光放射輝度計４で計測した値である三刺激値Ｘ，Ｙ，Ｚ（計測色情報）に所定の行列を積算した値が、色票１００を対象に撮影装置６で当該色票１００を撮影した際の画像データのＲ（レッド），Ｇ（グリーン），Ｂ（ブルー）の値と略同じになるように、撮影装置６を調整する。
そのためには、複数枚、例えば２４枚の色票１００を、それぞれ分光放射輝度計４で計測し、また、撮影装置６で撮影する必要がある。
【００３３】
そこで、例えば２４枚の色票１００を、図１に示すように色票提示装置２のフレーム保持機構２１にセットする。具体的には、複数枚のうちで最初に計測等する色票１００が提示位置Ｐに位置するようにして、各色票１００が矢印１０２方向（水平方向）に重なり合って並ぶように、各色票１００がフレーム支持部１０１ａによってガイドバー３４のレール３５に懸架されるようにする。
そして、提示位置Ｐにある色票１００を撮影するのに最適な位置（提示位置Ｐの正面で提示位置Ｐから所定距離の位置）に撮影装置６をセットし、提示位置Ｐにある色票１００を計測するのに最適な位置（提示位置Ｐの正面で提示位置Ｐから所定距離の位置）に分光放射輝度計４をセットする。また、提示位置Ｐにある色票１００を撮影等するのに最適な位置（提示位置Ｐにある色票１００を撮影等に十分な程度に照明できる位置）に照明１２をセットして提示位置Ｐにある色票１００を照明する。
【００３４】
この状態で色再現性検査システム１の図示しないスタートスイッチをＯＮにする。すると、測定コントローラ５の移動制御部７５の制御によって、提示位置Ｐにある色票１００の三刺激値Ｘ，Ｙ，Ｚを計測するように計測指示部７１が分光放射輝度計４に指示する。これにより、分光放射輝度計４が提示位置Ｐにある色票１００の三刺激値Ｘ，Ｙ，Ｚの値（計測色情報）を計測し、その計測値は計測色情報取得部７２が分光放射輝度計４から取得し、記憶装置７３に記憶する。
このように分光放射輝度計４が提示位置Ｐにある色票１００の三刺激値Ｘ，Ｙ，Ｚを計測すると、計測が完了した旨の信号を計測色情報取得部７２が移動制御部７５に伝える。すると、当該信号を移動制御部７５が移動機構駆動装置２３に伝える。
【００３５】
一方、計測が完了した旨の信号を計測色情報取得部７２が移動制御部７５に伝えると、移動制御部７５の制御によって、提示位置Ｐにある色票１００の撮影を指示するように撮影指示部７４が収録装置３の撮影指示取得部６４に信号を送信する。これを受けた撮影指示取得部６４は、撮影指示を撮影指示部６３に送り、撮影指示部６３が撮影装置６に撮影指示をして、撮影装置６が提示位置Ｐにある色票１００の撮影を行う。撮影後の画像データは撮影色情報取得部６１が取得して、記憶装置６２に記憶させる。
【００３６】
前記のように、提示位置Ｐにある色票１００の分光放射輝度計４による計測が完了した旨の信号が移動機構駆動装置２３に伝えられると、移動機構駆動装置２３は色票提示装置２のリニアアクチュエータ４２を駆動する。なお、このリニアアクチュエータ４２の駆動の開始前に前記の撮影装置６による提示位置Ｐにある色票１００の撮影は終了させる。このリニアアクチュエータ４２の駆動は、図４（ａ）に示すように、色票１００（フレーム１０１）の１枚の厚み分だけフレーム押出部４１を矢印１０３方向に押し出すように行う。これにより、提示位置Ｐにあった色票１００は、当該色票１００（フレーム１０１）より図４（ａ）で右側に並んでいる色票１００（フレーム１０１）に押されて、提示位置Ｐよりも図４（ａ）で左側に移動し、ガイドバー３４のレール３５を外れて落下する。そして、当該色票１００（フレーム１０１）は、色票案内部材２６の傾斜面２６ａを滑り落ちて色票収納部２４内に納まる。
【００３７】
これにより元々提示位置Ｐにあった色票１００は次の色票１００と交換され、当該交換後の提示位置Ｐの色票１００に対して分光放射輝度計４による計測と撮影装置６による撮影が前記と同様に行われる。このように、各色票１００を提示位置Ｐに順次移動させては分光放射輝度計４による計測と撮影装置６による撮影を行うことで、全ての色票１００について分光放射輝度計４による計測色情報（三刺激値ＸＹＺ）と撮影装置６による画像データとを取得することができる。図４（ａ）〜図４（ｃ）は、フレーム保持機構２１にセットされた複数枚の色票１００に対して分光放射輝度計４による計測と撮影装置６による撮影が順次行われて色票１００の枚数が減っていく様子を時間順に示している。
【００３８】
以上説明した色再現性検査システム１によれば、複数の色票１００を同一の提示位置Ｐで順次入れ替えて提示して、それぞれ分光放射輝度計４による計測と撮影装置６による撮影とを行うので、一度位置決めした分光放射輝度計４、撮影装置６、照明１２の位置を調整し直さずとも、全ての色票１００について分光放射輝度計４、撮影装置６、及び照明１２と、提示位置Ｐの色票１００との位置関係を一定に維持することができる。
したがって、色再現性検査システム１によれば、撮影装置６の正確なＲＧＢ値の測定が可能となり、また、分光放射輝度計４での三刺激値ＸＹＺの測定のために煩雑な作業を必要としない。
【００３９】
また、色再現性検査システム１では、フレーム保持機構２１が色票１００を支持する各フレーム１０１を矢印１０２方向（水平方向）に重ねて保持すると共に当該方向において撮影装置６に対向する最前位置を色票１００の提示位置Ｐとしている。その上、フレーム移動機構２２は、フレーム保持機構２１に重ねて保持するフレーム１０１を提示位置Ｐに順次移動させる。
そのため、ＸＹステージによってマクベスチャートを平面的に動かしてそれぞれの色票を同一場所に提示するという手段においては、マクベスチャートを平面的に動かすために作業に必要となる面積が大きくなり、装置が大きくなるという問題が発生するが、本実施形態ではかかる問題を解消することができる。
【００４０】
なお、言うまでもなく、本発明は前記の一実施形態の説明内容に限定されるものではない。
例えば、提示位置Ｐへの色票１００の供給は、前記の例では提示位置Ｐの背部（図１の右側）から行っているが、提示位置Ｐの前部（図１の左側）、側部（図１の紙面に垂直な方向）、上部（図１の上側）、下部（図１の下側）のいずれかから行うようにしてもよい。具体的には、提示位置Ｐの前部の下方または上方に色票１００を並べ、所定の機構により色票１００を順次提示位置Ｐに引き上げるようにすることで提示位置Ｐの前部から色票１００の供給を行うことができる。また、提示位置Ｐの側部に色票１００を並べ、所定の機構により色票１００を順次提示位置Ｐにスライド移動するようにすることもできる。同様に、提示位置Ｐの上部や下部に色票１００を並べ、所定の機構により色票１００を順次提示位置Ｐにスライド移動するようにすることもできる。
【００４１】
また、前記の例では、提示位置Ｐでの分光放射輝度計４による計測及び撮影装置６による撮影を終了した色票１００（フレーム１０１）は、ガイドバー３４のレール３５を外れて落下して色票収納部２４内に納まるようにしている。しかし、色票１００（フレーム１０１）の交換の手段は、これに限定されず、色票１００（フレーム１０１）をめくるようにしたり、あるいはスライド移動させる等、様々な手法を用いることができる。
ガイドバー３４やレール３５の本数も前記の例では２本の例を示しているが、１本または３本以上としてもよい。ガイドバー３４やレール３５の本数を１本とする場合は、その幅を拡大することで、フレーム１０１を平行に安定して移動させることができる。
また、リニアアクチュエータ４２についても、直線的に所望の単位長さ分ごとにフレーム１０１を移動させるものであれば、送りネジ等の構成であってもよい。
【符号の説明】
【００４２】
１      色再現性検査システム
２      色票提示装置
３      収録装置
４      分光放射輝度計
５      測定コントローラ
２１    フレーム保持機構
２２    フレーム移動機構
２３    移動機構駆動装置
３３    支持脚
３４    ガイドバー
４１    フレーム押出部
４２    リニアアクチュエータ（駆動部）
２４    色票収納部
２５    隠蔽スクリーン
５１    窓部
５２    隠蔽部
７３    記憶装置（記憶手段）
７５    移動制御部（信号発生手段）
１００  色票
１０１  フレーム
１０１ｂ  凹部（係合部）
Ｐ      提示位置
【図１】
2017072457.tif 000003
【図２】
2017072457.tif 000004
【図３】
2017072457.tif 000005
【図４】
2017072457.tif 000006